(57)【要約】【課題】  扇ぎ葉と柄を一体化し、該柄を補強する鞘部も一体化して設け、閉じた状態の扇ぎ葉を該柄の中へ収納できる柄付き扇子を提供する。【解決手段】  扇ぎ葉の下へ柄を突出させ、該柄の突出先へ基部折線を介して天地逆の鞘部を延設し、該基部折線を袋折することで該鞘部は持ち上がって該柄に重なり、前記重なり状態で該柄を該鞘部で巻くことで該柄は補強されると同時に該扇ぎ葉の下部が支えられ、該扇ぎ葉に開閉部を設け、該開閉部によって閉じられた扇ぎ葉を該鞘部の中へ収納できる箇所として該柄の先領域に収納段を設ける。【選択図】  図１
2014210128.tif 000002
【特許請求の範囲】
【請求項１】
扇ぎ葉の下へ柄を突出させ、該柄の突出先へ基部折線を介して天地逆の鞘部を延設し、該基部折線を袋折することで該鞘部は持ち上がって該柄に重なり、前記重なり状態で該柄を該鞘部で巻くことで該扇ぎ葉の下部が支えられ、該扇ぎ葉に開閉部を設け、該開閉部によって閉じられた扇ぎ葉を該鞘部の中へ収納できる箇所を設けたことを特徴とする柄付き扇子。
【請求項２】
扇ぎ葉を鞘部の中へ収納できる箇所として、基部折線から上へ平行移動した折り線で段折線を設け、該基部折線と該段折線とで挟まれた領域を収納段とし、該収納段は柄の先領域であり、該柄を下へ押し込むことで該段折線が折れ曲がって該収納段が反転し、前記収納段の反転によって該柄が下へ移動し、前記柄の下移動によって閉じられた該扇ぎ葉が該鞘部の中へ収納されることを特徴とする請求項１記載の柄付き扇子。
【請求項３】
扇ぎ葉の開閉部として反転扇部を設け、前記反転扇部の設け構造は柄上部の両横へ開折線を介して反転扇部を延設し、該反転扇部の横外側へ閉折線を介して扇ぎ葉を延設し、該扇ぎ葉はＡ葉とＢ葉の二つが左右の線対称の位置関係で有しており、該閉折線を折り曲げることで該扇ぎ葉の双方は重なり合って閉じ、該扇ぎ葉双方の横を互いに逆方向へ引っ張ることで該扇ぎ葉の双方はズレて開き、前記扇ぎ葉が開くことで折れ曲がり箇所が該閉折線から該開折線へ切り替わるので該反転扇部が反転し、前記反転扇部の反転が交互に繰り返されることで該扇ぎ葉の双方が開閉されることを特徴とする請求項１記載の柄付き扇子。
【発明の詳細な説明】
【技術分野】
【０００１】
本発明は、厚紙製の柄付き扇子に関する物である。
【背景技術】
【０００２】
従来の柄付き扇子は、扇ぎ葉と巻柄は別個で設けられており、使用する場合は、扇ぎ葉下部中央の要溝に巻柄の要片を差し込んで両者を連結して巻柄を三つ折で巻いて扇ぎ葉の下部を支える構造であり、小さく収納する場合は、巻柄を開いて要片を外して両者を分離し、三つ折で巻いた扇ぎ葉へ三つ折で巻いた柄を入れる構造の物であった。
【先行技術文献】
【特許文献】
【０００３】
【特許文献１】特開平１１−３１８５３１号
【発明の概要】
【発明が解決しようとする課題】
【０００４】
従来の技術は、扇ぎ葉と巻柄が別々であることから、要片を抜き差しして両者を離したり連結したりする必要があり、該要片の抜き差しは、三つ折で巻かれた巻柄を開く必要があり、収納したり使用したりする二形態の移行に手間が掛るという問題点があった。本発明では前記のような問題の解決を課題にする。
【課題を解決するための手段】
【０００５】
開閉部で開閉できる扇ぎ葉の下へ柄を突出させ、該柄の下端へ水平な基部折線を介して天地逆の鞘部を延設し、該基部折線を上へ平行移動した箇所へ段折線を入れ、該段折線と基部折線とで挟まれた領域を収納段とし、該基部折線を袋折することで該鞘部は持ち上げられて天地が正常な位置関係になった状態で該柄と重なり合い、前記重なり合った状態の柄を該鞘部で巻くことで開き状態の扇ぎ葉の下部を支えることができ、開閉部箇所で閉じた状態にした扇ぎ葉を鞘部方向へ押し込むことで段折線が折れ曲がって基部折線を中心にして収納段が反転し、柄の先領域である前記収納段の反転によって柄の先領域が袋折されて短くなるので鞘部の中へ扇ぎ葉が収納される構造になる。
【発明の効果】
【０００６】
扇ぎ葉の下部へ突出させた柄の先端へ基部折線を介して天地逆の鞘部を延設しているので、扇ぎ葉と鞘は一体化していることから従来技術の要片の抜き差しが不要となり、柄に鞘部を巻いた状態のまま扇ぎ葉を開閉部で開閉することができ、閉じられた扇ぎ葉を巻いた状態の鞘部内へ収納できるので、本体の収納と使用の二形態の移行が楽に行える。
【図面の簡単な説明】
【０００７】
【図１】展開背面図である。（実施例１）
【図２】開き状態組み立て過程の要部透視背面図である。
【図３】収納状態要部透視背面図である。
【図４】展開背面図である。（実施例２）
【図５】開き状態組立課程要部透視背面図である。
【図６】閉じて収納する前段階の要部透視背面斜視図である。
【発明を実施するための形態】
【０００８】
扇ぎ葉と鞘部を一体化し、鞘部を巻いた状態のままで扇ぎ葉を開閉し、扇ぎ葉を閉じて鞘部へ収納できることを実現した。
【実施例１】
【０００９】
図１は展開背面図である。正面と背面の位置関係は任意であっても良いが、鞘部の表の面を外面にして組み立てたいので背面図を基本にして図示することにし、透視線は破線で表示し、折線は一点鎖線で表示し、折線の折り曲げ方向は使用者が任意で変更できるが、特許内容を具体的に説明するには折り曲げ方向を定める必要があるので、山折と谷折で表示する折り曲げ方向は背面図を基準にし、実線は切り離し線で表示し、本体１の素材は限定ではなく、プラスチック板であっても良いが、官製葉書と同等か或いは少々硬い程度の適宜に腰のある厚紙を素材にすることが望ましい。
【００１０】
本体１は一枚の扇ぎ葉２と柄５と鞘部３とで構成され、扇ぎ葉２の形状は限定ではなくて自由にデザイン化された形状であるが、説明を具体的にするために扇形状で図示することにし、該扇ぎ葉２を横へ略三等分する二本の折線を入れ、前記二本の折線を開閉部４とし、該開閉部４に挟まれた領域を中葉域７とし、扇ぎ葉２が扇形状であればそれを略三等分する該開閉部４に挟まれた中葉域７も開き角度が小さくなった扇形状にすることが望ましく、下方へ狭くなる中葉域７の下端横幅と同寸で柄５を下方へ突出させ、該扇ぎ葉２と該柄５とを区分する線は有しておらず、扇形状の扇ぎ葉２の左右両側縁が平行になった箇所から下が柄５となる境界目印とし、該柄５の下端縁へ水平な谷折線である基部折線６を介して天地逆の鞘部３を延設する。
【００１１】
図１の鞘部３は天地逆で図示されているので下が鞘部３の天であり、鞘部３の形状は左右方向で三つ折にされて天方向へ広くなる開き角度の小さい扇形状であることが望ましく、前記開き角度の大小を決める基準は限定ではないが45度を中心にすることにし、三つ折にされる折線で三つに区分される鞘部３の中央領域を中鞘８とし、該中鞘８の一方の横へ谷折線を介して延設された領域をａ鞘９とし、該中鞘８の他方の横へ谷折線を介して延設された領域をｂ鞘１０とし、該ａ鞘９は基部折線６から上（図では天地逆なので下）の中鞘８と略同寸幅形状にして天地の中心線上に切溝１１を入れ、該ｂ鞘１０の中心線上に入れた谷折線を介する他方の横へ突出した領域を差込片１２とする。
【００１２】
扇ぎ葉２の中央から下へ突出する柄５の水平な下端は基部折線６であり、該基部折線６を上へ平行のまま移動させた位置へ段折線１３を谷折線で設け、該基部折線６と該段折線１３とで挟まれた領域を収納段１４とし、該収納段１４の領域内は折線を有しない一つの面であっても良いが、該領域内に水平な谷折線で間折線１５を入れることが望ましく、該間折線１５の間隔は等間隔であっても良いが、段折線１３から基部折線６へ近づくに連れて間隔を短くするのが望ましく、間折線１５の本数は一本であっても二本であっても良いが二本で図示しており、該柄５の形状は両横縁が平行な矩形であっても良いが、該基部折線６上隣りの間折線１５（最下部の間折線）の箇所で括れさせた形状が望ましい。
【００１３】
図２は開き状態組み立て過程の要部透視背面図である。基部折線６を谷折で袋折することで鞘部３の天が持ち上がって上向きになるので鞘部３の天地が正常な位置関係となり、中鞘８と柄５は重なり合い、ａ鞘９とｂ鞘１０とを折り曲げることで鞘部３は三つ折されて該柄５を芯にして巻いた状態になり、前記巻き状態の鞘部３は開き状態の扇ぎ葉２の下部領域を支えているので、該扇ぎ葉２がグラつくことなく扇ぐことができる。
【００１４】
本発明の図面を背面図にしている理由は、鞘部３の表の面を外面にして巻きたいのと特許内容の要部である基部折線６を表に出したいからである。柄５中心の垂線を基準に中鞘８の中心線とａ鞘９の中心線上に有する切溝１１とが重なり合い、ｂ鞘１０を該ａ鞘９上に重ねて差込片１２を該切溝１１へ差し込むことで該鞘部３の巻き状態が固定され、該差込片１２基部の折線と該切溝１１とが同一線上に位置しているので、該差込片１２の差し込みが容易になり、差し込み状態が固定される。
【００１５】
切溝１１は差込片１２を差し込む他に収納段１４の反転を援助する役割もあり、該収納段１４は基部折線６を中心にして反転するので、前記の反転過程で該収納段１４は隆起し、該切溝１１は切れ目が割れて広がるので前記の隆起領域を逃がす役割を果たせる。前記の逃がし役割を果たすために該基部折線６よりも下へ切溝１１を延長する必要があり、該切溝１１の基盤となっているａ鞘９を該基部折線６より下へ延長し、前記延長領域を設けたことで該切溝１１を延長でき、前記延長領域の形状は角張っていても良いが半円形であることが望ましい。
【００１６】
折線構造である開閉部４の折り曲げ方向は利用者が好きな方向へ折り曲げても良いが谷折で統一し、開閉部４を谷折することで中葉域７の領域内へ扇ぎ葉２は折り畳まれて閉じ、鞘部３が巻かれた状態であっても該扇ぎ葉２を折り畳んで閉じたり開いたりでき、該扇ぎ葉２を閉じることで巻き状態の該鞘部３の支えを解除でき、巻き状態の該鞘部３の中へ該扇ぎ葉２を収納する準備ができる。
【００１７】
巻き状態の鞘部３の中へ扇ぎ葉２を収納するには柄５が下へ移動できなければならず、該柄５の下部領域を収納段１４にして、該収納段１４が基部折線６を中心にして反転することで該柄５は下へ移動できるのであり、該収納段１４は上の段折線１３から下の基部折線６の範囲であり、該収納段１４を一つの区分面にすると反転時に大きく隆起するので切溝１１の逃がし機能の限界を超えて反転できなくなるので、該基部折線６を上へ平行移動した水平な谷折線で間折線１５を入れることが望ましく、該間折線１５の本数は限定ではなくて該収納段１４の天地長に応じて加減すれば良く、本願では該間折線１５を二本で図示することにし、該間折線１５の間隔は等間隔であっても良いが該段折線１３から該基部折線６へ向けての間隔を連続的に短くするのが望ましい。
【００１８】
間折線１５の間隔を段折線１３から基部折線６へ向けて連続的に短くした理由は基部折線６に近い領域から反転するからであり、該間折線１５で天地に区分された領域は該基部折線６に近い区分領域は短いので小さく隆起することから小さな力で反転できるので切溝１１への負担も少なく、該基部折線６から下へ収納段１４が食み出るに連れてａ鞘９の圧迫が軽減するので長い区分領域であっても難無く反転できる。基部折線６に最も近い最下部の間折線１５を短くして括れさせたことで隆起稜線が短くなり、前記隆起稜線が短くなることで切溝１１の割れ広がりが少なくなるので負担を軽減できる。
【００１９】
図３は収納状態要部透視背面図である。開閉部４の双方を谷折して閉じられた扇ぎ葉２は中葉域７の範囲内に収まるので、巻かれた鞘部３へ収納できる幅になり、扇ぎ葉２全体を収納できる大きさで鞘部３を設けても良いが、鞘部３を前記の大きさにすると扇ぎ葉２を開いて本体１を使用するときの対比バランスとして該鞘部３が大きくなり過ぎるのと太すぎて握りにくくなるので、該扇ぎ葉２の下半分程度が収納できる大きさであることが望ましい。
【００２０】
鞘部３への扇ぎ葉２の収納は基部折線６よりも下へ収納段１４の全てが出た状態で終了するのであり、該収納段１４は基部折線６を中心にして反転することから段折線１３と該基部折線６との長さの二倍、別な表現をするならば該収納段１４の天地長の二倍の長さだけ該扇ぎ葉２を上下（天地）へ移動させることができるので、該扇ぎ葉２が閉じられたのと同形状である中葉域７は下へ移動し終えた位置で中鞘８の上部両端と略同寸幅で収納される形状であることが望ましい。
【実施例２】
【００２１】
図４は展開背面図である。実施例２では扇ぎ葉２２をＡ葉２３とＢ葉２４との二枚で設けるのであり、前記Ａ葉２３とＢ葉２４は柄２５を中心とする左右線対称の位置関係にあり、二枚で有する該扇ぎ葉２２を開閉する開閉部４は反転扇部２７ａ、２７ｂとなり、下端を基点とする開折線２６ａ、２６ｂと閉折線２９ａ、２９ｂの屈折が切り替わることで該扇ぎ葉２２どうしは双方で逆方向へ回転移動して重なって閉じたり、ズレて開いたりできる構造になり、柄２５と該柄２５の下端に水平な基部折線６を介して延設される延設構造と鞘部３は実施例１と同じ構造と形状で設けることが望ましい。
【００２２】
実施例１では柄５の上端に区分線の無い状態で扇ぎ葉２を延設していたが、実施例２では柄２５上部の左右両側へ反転扇域２７ａ、２７ｂを介して扇ぎ葉２２を左右線対称の位置関係で設けるのであり、具体的に述べるならば、該柄２５の上端は何も延設されていない縁であり、該柄２５上部の一方横へ開折線２６ａを介して反転扇部２７ａを延設し、該反転扇部２７ａの形状は下端を基点２８ａとする扇形状であり、該反転扇部２７ａの一方の横へ閉折線２８ａを介してＡ葉２３を延設し、該柄２５上部の他方横への延設構造も前記一方横への延設構造と線対称で設けるのであり、線対称箇所を該柄２５に近い方から一方と他方の順で対応させて述べるならば、開折線２６ａと開折線２６ｂ、反転扇部２７ａと反転扇部２７ｂ、基点２８ａと基点２８ｂ、閉折線２９ａと閉折線２９ｂ、Ａ葉２３とＢ葉２４、となる。
【００２３】
図５は開き状態組立課程要部透視背面図である。扇ぎ葉２２双方の折り曲げ方向は使用者が任意で変更できるが、特許内容の説明を明瞭化する目的で折り曲げ方向を統一することにし、従来の扇子では手前を右側へ開く構造であるので、柄２５の他方である左の開折線２６ｂを谷折で袋折することでＢ葉２４は手前である背面方向へ反転して右へズレた開き位置に留まり、柄２５右の開折線２６ａを山折で袋折することでＡ葉２３は向こうである正面方向へ反転して左へズレた開き位置に留まり、開き位置で留まっているＡ葉２３とＢ葉２４は部分的に重なり合っており、前記重なり合った領域を重合域３０とし、該重合域３０の重なりを前後で入れ替えることで該扇ぎ葉２２の開き状態を固定でき、実施例１と同じ工程で基部折線６を谷折して鞘部３を持ち上げて柄２５を芯にして該鞘部３を巻くことで開き状態の扇ぎ葉２２の下部を支えることができる。
【００２４】
図６は閉じて収納する前段階の要部透視背面斜視図である。図６だけを斜視図にした理由は扇ぎ葉２２の重なり状態を図示するためである。右へズレて開き位置にあったＢ葉２４を左へ押すことで開き状態で屈折していた柄２５左の開折線２６ｂの屈折が解除されて閉折線２９ｂへの屈折に切り替えることで反転扇部２７ｂは下端の基点２８ｂを中心にして反転する動きが伝わるＢ葉２４も該基点２８ｂを中心にした回転移動をするので左へ戻って閉じ位置に留まり、正面へ重なり合うＡ葉２３も該Ｂ葉２４と同じ仕組みで同時進行で閉じられるのであり、該Ａ葉２３は該柄２５右の反転扇部２７ａの反転によって該基点２８ａを中心にして回転移動する。
【００２５】
中鞘８左のｂ鞘１０をａ鞘９の外面へ折り重ねて差込片１２を切溝１１へ差し込むことで鞘部３の巻き状態が固定されるのは実施例１と同様であり、閉じ状態の扇ぎ葉２２を下に位置する巻き状態の鞘部３方向へ押し込むことで基部折線６の袋折が解除されて間折線１５に屈折が切り替わって最終的に段折線１３が袋折状態になって収納段１４の反転が終了して扇ぎ葉２２の収納が終了する構造も実施例１と同様であるが、実施例１の扇ぎ葉２は三つ折で閉じられるので概略三分の一の幅になるが、実施例２では二枚の扇ぎ葉２２を重ね合わせる構造なので概略二分の一の幅にしか縮小されない。
【００２６】
縮小率が低くて広い幅で残る実施例２の扇ぎ葉２２の下部では両横縁を削って細くした収納域３１を形成し、該収納域３１の形状を中鞘８上部と概略同形状にすることで該収納域３１が巻き状態の鞘部３内に収納可能となる。
【産業上の利用可能性】
【００２７】
本発明は、自由な印刷が可能なので、広告媒体として使用することもできる。
【符号の説明】
【００２８】
１    本体
２、２２  扇ぎ葉
３    鞘部
４    開閉部
５、２５  柄
６    基部折線
７    中葉域
８    中鞘
９    ａ鞘
１０  ｂ鞘
１１  切溝
１２  差込片
１３  段折線
１４  収納段
１５  間折線
２３  Ａ葉
２４  Ｂ葉
２６ａ、２６ｂ  開折線
２７ａ、２７ｂ  反転扇部
２８ａ、２８ｂ  基点
２９ａ、２９ｂ  閉折線
【図１】
2014210128.tif 000003
【図２】
2014210128.tif 000004
【図３】
2014210128.tif 000005
【図４】
2014210128.tif 000006
【図５】
2014210128.tif 000007
【図６】
2014210128.tif 000008